(57)【要約】【課題】文字コマが固定印字面の露出孔に対して、挿入可能な範囲内にない場合に、文字コマの固定印字面の露出孔への挿入動作をできないようにして、文字コマの噛込みを防止する印判を提供する。【解決手段】印字面の変更を行う場合に、文字コマが、露出孔に対して、正対していない状態で、本体ケースを保持して操作部を時計回りに回転させると、ボス２ｃが螺旋溝１２１に沿って摺動し、文字コマが露出孔正しく挿入されずに、露出孔の周囲の部材に当接する。このとき文字コマの圧縮応力により、保持部材１２０に上方へ付勢力が印加され、ボス２ｃは、螺旋溝１２１の側面１２１ｅに形成されている係止部１２１ｄに係止され、露出孔へ文字コマが挿入される方向への保持部材１２０の移動が規制されて、文字コマ噛込みが防止できる。【選択図】図１８
2008018696.tif 000002
【特許請求の範囲】
【請求項１】
本体ケースと、
当該本体ケース内に回動可能に支持され、印影を形成するための印字面を有する複数の文字コマからなる第一印字体と、
当該第一印字体のいずれかの文字コマが挿入されて印字面が露出する露出孔を有し、その露出孔から露出された前記印字面とともに印影を形成する第二印字体と、
前記本体ケースの一端側の内側部に支持され、前記第二印字体を保持する保持部材と、
前記保持部材の外周部と前記本体ケースの一端側の内側部との間に設けられ、前記露出孔に対して前記文字コマを挿入及び退出させる案内機構と、
当該案内機構により前記文字コマを前記露出孔に対して挿入する場合に、前記文字コマが前記露出孔の周囲の部材に当接することにより生じる応力により、前記案内機構の動作を停止する噛込み防止機構と
を備えたことを特徴とする印判。
【請求項２】
前記本体ケース内に設けられ、前記第一印字体を回転可能に収容し、前端部に前記露出孔に挿入される文字コマを保持し、後端部が前記本体ケース外に露出する内部支持ケースを備え、
前記本体ケースは、筒状に形成され、
前記案内機構は、前記保持部材の外周部と前記本体ケースの一端側の内側部とのいずれか一方に前記露出孔を挟んで対向するように設けられた一対の凸部と、他方に設けられ、前記各凸部が摺動する一対の螺旋溝とによって構成され、
前記内部支持ケースの後端部が、前記本体ケースに対して、その軸芯周りの一方向に回転されると、前記凸部が前記螺旋溝を摺動して、前記露出孔に対して前記文字コマが挿入され、前記内部支持ケースの後端部が逆回転されると、前記凸部が前記螺旋溝を逆方向に摺動して、前記露出孔から前記文字コマが退出され、
前記噛込み防止機構は、前記螺旋溝の側面に設けられた係止部であり、
前記案内機構により前記文字コマを前記露出孔に対して挿入する動作時に、前記文字コマが前記露出孔の周囲の部材に当接することにより生じる応力により、前記凸部が前記係止部に係止させられて前記案内機構の動作を停止させて、前記文字コマの噛込みが防止されることを特徴とする請求項１に記載の印判。
【請求項３】
前記第二印字体の印字面を上方に向けた場合に、前記係止部は、前記螺旋溝の下側の側面に形成されていることを特徴とする請求項１又は２に記載の印判。
【請求項４】
前記一対の凸部の各々に対応して、前記係止部が、前記一対の螺旋溝の各々に設けられていることを特徴とする請求項１乃至３の何れかに記載の印判。
【発明の詳細な説明】
【技術分野】
【０００１】
本発明は、２つの印字面を組み合わせて１つの印影を形成することが可能な印判に関し、詳細には、２つの印字面の組み合わせ時に、印字面の噛込みを防止できる印判に関する。
【背景技術】
【０００２】
従来、所定の文字が予め形成された固定印字面に開口した露出孔から、回転式のベルト上にインク含浸可能な日付印や番号印の文字コマが複数列設された回転式印判の何れかの文字コマの印字面を露出させて、当該固定印字面と文字コマの印字面とを組み合わせて１つの印影を形成する印判が提案されている（例えば、特許文献１参照。）。
【０００３】
この従来の印判では、印字面の変更を行なう際には、固定印字面に開口した露出孔から文字コマを後退させて引き抜いた後に、ベルトを回転させて所望の印字面の文字コマを選択し、再度、固定印字面に開口した露出孔に文字コマを挿入して、当該文字コマの印字面を固定印字面の露出孔から露出させて、新しい１つの印影を形成する。この従来の印判では、印字面の変更を行なう際に、文字コマの整列位置が少しずれていても、固定印字面に開口した露出孔に挿入できるように、露出孔の文字コマ挿入側には、文字コマを誘導するための面取りがなされている。従って、文字コマの固定印字面の露出孔への位置合わせには、挿入可能となる誘い込み可能範囲がある。
【特許文献１】特開２００６−７６１５９号公報
【発明の開示】
【発明が解決しようとする課題】
【０００４】
しかしながら、上記従来の印判では、印字面の変更を行なう際に、文字コマが列設された回転式のベルトの移動量が適切でない場合、文字コマが適切な位置に移動されず、文字コマの固定印字面の露出孔への位置合わせが、上記誘い込み可能範囲を超えてずれてしまう場合がある。この状態で、文字コマを固定印字面に開口した露出孔に挿入しようとすると、文字コマが固定印字面の露出孔に正しく挿入されず、固定印字面の裏面に当接して押しつぶされる噛込みが発生する問題があった。この噛込みが発生すると文字コマは押しつぶされて変形するために、再度正しい位置に合わせて、文字コマを固定印字面の露出孔から露出させても捺印のかすれが生じてしまう問題があった。また、文字コマ自体が変形して元に戻らないという問題もあった。
【０００５】
本発明は上記課題を解決するためになされたものであり、文字コマが固定印字面の露出孔に対して、挿入可能な範囲内にない場合に、文字コマの固定印字面の露出孔への挿入動作をできないようにして、文字コマの噛込みを防止できる印判を提供することを目的とする。
【課題を解決するための手段】
【０００６】
上記目的を達成するために、請求項１に記載の印判は、本体ケースと、当該本体ケース内に回動可能に支持され、印影を形成するための印字面を有する複数の文字コマからなる第一印字体と、当該第一印字体のいずれかの文字コマが挿入されて印字面が露出する露出孔を有し、その露出孔から露出された前記印字面とともに印影を形成する第二印字体と、前記本体ケースの一端側の内側部に支持され、前記第二印字体を保持する保持部材と、前記保持部材の外周部と前記本体ケースの一端側の内側部との間に設けられ、前記露出孔に対して前記文字コマを挿入及び退出させる案内機構と、当該案内機構により前記文字コマを前記露出孔に対して挿入する場合に、前記文字コマが前記露出孔の周囲の部材に当接することにより生じる応力により、前記案内機構の動作を停止する噛込み防止機構とを備えたことを特徴とする。
【０００７】
また、請求項２に記載の印判は、請求項１に記載の発明の構成に加え、前記本体ケース内に設けられ、前記第一印字体を回転可能に収容し、前端部に前記露出孔に挿入される文字コマを保持し、後端部が前記本体ケース外に露出する内部支持ケースを備え、前記本体ケースは、筒状に形成され、前記案内機構は、前記保持部材の外周部と前記本体ケースの一端側の内側部とのいずれか一方に前記露出孔を挟んで対向するように設けられた一対の凸部と、他方に設けられ、前記各凸部が摺動する一対の螺旋溝とによって構成され、前記内部支持ケースの後端部が、前記本体ケースに対して、その軸芯周りの一方向に回転されると、前記凸部が前記螺旋溝を摺動して、前記露出孔に対して前記文字コマが挿入され、前記内部支持ケースの後端部が逆回転されると、前記凸部が前記螺旋溝を逆方向に摺動して、前記露出孔から前記文字コマが退出され、前記噛込み防止機構は、前記螺旋溝の側面に設けられた係止部であり、前記案内機構により前記文字コマを前記露出孔に対して挿入する動作時に、前記文字コマが前記露出孔の周囲の部材に当接することにより生じる応力により、前記凸部が前記係止部に係止させられて前記案内機構の動作を停止させて、前記文字コマの噛込みが防止されることを特徴とする。
【０００８】
また、請求項３に記載の印判は、請求項１又は２に記載の発明の構成に加え、前記第二印字体の印字面を上方に向けた場合に、前記係止部は、前記螺旋溝の下側の側面に形成されていることを特徴とする。
【０００９】
また、請求項４に記載の印判は、請求項１乃至３の何れかに記載の発明の構成に加え、前記一対の凸部の各々に対応して、前記係止部が、前記一対の螺旋溝の各々に設けられていることを特徴とする。
【発明の効果】
【００１０】
請求項１に記載の印判は、案内機構により文字コマを第二印字体の露出孔に対して挿入する場合に、文字コマが露出孔の周囲の部材に当接することにより生じる応力により、噛込み防止機構が作動して、案内機構の動作を停止する。従って、第一印字体の文字コマが噛み込まれて、当該第一印字体の文字コマが変形したり、印字面が損傷したり、印字がかすれたりすることがない。
【００１１】
また、請求項２に記載の印判は、請求項１に記載の発明の効果に加え、案内機構により第一印字体の印字面を第二印字体の露出孔に対して挿入する動作時に、第一印字体の文字コマが第二印字体の露出孔の周囲の部材に当接することにより生じる応力により、凸部が螺旋溝の側面に設けられた係止部に係止させられて案内機構の動作を停止させて、文字コマの噛込みが防止される。従って、文字コマが噛み込まれて、当該第一印字体の文字コマが変形したり、印字面が損傷したり、印字がかすれたりすることがない。
【００１２】
さらに、請求項３に記載の印判は、請求項１又は２に記載の発明の効果に加え、印字面を変更する場合には、第二印字体の印字面を上方に向けて、第一印字体を回転させるのであるが、係止部は、第二印字体の印字面を上方に向けた場合に、螺旋溝の下側の側面に形成されているので、文字コマの噛込みが生じない場合に、重力により、凸部が螺旋溝の係止部に係止されることがない。
【００１３】
さらに、請求項４に記載の印判は、請求項１乃至３の何れかに記載の発明の効果に加え、一対の凸部の各々に対応して、係止部が、一対の螺旋溝の各々に設けられているので、一対の螺旋溝の各々に設けられた各係止部に一対の凸部の各々が係止されて確実に第一印字体の文字コマの噛込みを防止できる。
【発明を実施するための最良の形態】
【００１４】
以下、本発明の最良の実施形態の一例としての日付印１について、図面を参照して説明する。図１は、捺印可能な状態の日付印１の斜視図である。図２は、印字面２１１の変更が可能な状態の日付印１の斜視図である。図３は、日付印１の分解斜視図である。図４は、移動印字部材２１０を保持した保持体２３０の斜視図である。図５は、図１に示す一点鎖線において矢視方向Ａから見た、日付印１の断面図である。図６は、図１に示す一点鎖線において矢視方向Ｂから見た、操作部２０５を除いた状態の日付印１の断面図である。図７は、保持部材１２０の平面図である。図８は、移動印字部材２１０が露出孔１１４に挿入される際の、図１に示す一点鎖線において矢視方向Ａから見た、日付印１の断面図である。
【００１５】
図１に示すように、日付印１は、使用者が把持する外部筐体としての円筒状の本体ケース２を有している。この本体ケース２は、その長手方向の一方の端部に筒端部２ａを有し、他方の端部に筒端部２ｄを有している。筒端部２ａの開口径は、本体ケース２の中央部の胴回りより１回り大きく形成され、筒端部２ｄの開口径は、本体ケース２の中央部と同じ大きさに形成されている。さらに、本体ケース２の外周面には、開口部２ｂが形成され、開口部２ｂは、筒端部２ｄに設けられた操作部２０５の本体ケース２に対する周方向への回転操作により開口・閉鎖される。
【００１６】
また、筒端部２ａの内部には、紙等の被捺印媒体に印影を形成するための印字面１１１が保持されている。この印字面１１１は、正面視、円形状に形成され、本体ケース２の軸方向に対して直交する平面となっている。また、印字面１１１の表面は所定の文字や記号が予め形成された印影が不変の固定印字面となっており、その中央部に後述する移動印字部材２１０の印字面２１１が露出する正面視、長方形の露出孔１１４が穿設されている。従って、この印字面１１１と数字や記号などを組み合わせて任意の日付等の印影を形成可能な印字面２１１との合成により、一つの印影を形成できるようになっている。また、本体ケース２の筒端部２ａには、日付印１の非使用時に、印字面１１１，２１１を覆って保護するためのキャップ１０が、着脱可能に設けられている。
【００１７】
図１に示す状態の日付印１の本体ケース２を保持しながら操作部２０５を本体ケース２に対して周方向に略１８０度回転させると、図２に示すように、本体ケース２の内部に収容された移動印字部２００（図３参照）が回転し、開口部２ｂが開口して、印字面２１１の変更が可能な状態となる。印字面の変更方法については後述する。
【００１８】
次に、本体ケース２の内部の構造と本体ケース２に収納される移動印字部２００とについて説明する。図３に示すように、本体ケース２の内部には、印字面２１１を保持する移動印字部２００と、印字面１１１を保持する固定印字部１００とが収容されている。また、本体ケース２の筒端部２ａの内側部には、筒端部２ａの直径方向において、一対のボス２ｃが互いに対向するように形成されている。
【００１９】
次に、固定印字部１００の構造を説明する。固定印字部１００は、図３及び図５に示すように、本体ケース２の筒端部２ａの内周に嵌合する保持部材１２０に、印字面１１１を有する固定印字部材１１２とその固定印字部材１１２に接触してインクを供給するインク貯蔵体１１３とが保持されて構成されている。この保持部材１２０は、円筒状に形成されており、保持部材１２０の外周には、螺旋状に形成された溝である螺旋溝１２１がその円筒の軸芯上の一点に対して、互いに対称となるように、２本設けられている。従って、各螺旋溝１２１は、保持部材１２０の外周において、半周ずつ設けられている。また、この螺旋溝１２１には、筒端部２ａの内側部にあるボス２ｃが係合されるようになっている。尚、固定印字部材１１２が、本発明の「第二印字体」に相当する。
【００２０】
図３に示すように、螺旋溝１２１の末端１２１ａには、螺旋溝１２１の底面を隆起させたストッパ１２１ｂが設けられ、末端１２１ａに位置させたボス２ｃの螺旋溝１２１に沿った方向への移動が規制される。また、螺旋溝１２１の始端１２１ｃにも同様のストッパ１２１ｇが設けられており、始端１２１ｃに位置させたボス２ｃの移動が規制される。保持部材１２０は、筒端部２ａの内径よりもわずかに径が小さく形成され、螺旋溝１２１の末端にボス２ｃが係合されたとき、これら螺旋溝１２１とボス２ｃの一対の係合部を結んだ線を軸線Ｘとして（図６参照）、移動印字部材２１０が挿入される露出孔１１４（後述）と交差する方向に揺動可能になっている。尚、ボス２ｃが本発明の「凸部」に、螺旋溝１２１が本発明の「螺旋溝」に相当し、ボス２ｃと螺旋溝１２１とが、本発明の「案内機構」に相当する。
【００２１】
また、保持部材１２０の内部からは、印字面１１１とは反対の方向に２つの一対のガイド部材１２３がそれぞれ突設されている。また、固定印字部材１１２及びインク貯蔵体１１３（図５参照）を保持する保持部材１２０のその保持部分の側面には、一対の突起部１２２が設けられている。この突起部１２２は、キャップ１０の内側に設けられた係合部（図示外）に係合されて、キャップ１０が嵌合されるようになっている。さらに、図２及び図３に示すように固定印字部１００の印字面１１１の略中央には、印字面１１１と直交する方向に固定印字部１００を貫通する正面視、長方形の露出孔１１４が設けられている。露出孔１１４は、移動印字部材２１０の印字面２１１を、本体ケース２から露出させるための孔である。
【００２２】
次に、移動印字部２００について図３及び図４を参照して説明する。図３に示すように、移動印字部２００は、円筒状の内部支持ケース２０１内に、印字面２１１を有する５つの移動印字部材２１０が長板状の保持体２３０（図４参照）に保持されて構成されている。内部支持ケース２０１は、収容される本体ケース２の内周にあわせて、当該本体ケース２より直径の小さい円筒状に形成されている。また、内部支持ケース２０１の印字面側の端部には、その外周を取り巻く鍔２０３が、内部支持ケース２０１の外周面と直交する方向に延設されている。この鍔２０３の外周は、本体ケース２の筒端部２ａの内周より、ごく僅か小さい大きさとなっている。また、内部支持ケース２０１を本体ケース２へ収容する際にボス２ｃに干渉しないように、鍔２０３には２ヶ所に切欠部２０４が設けられている。また、保持体２３０の両側部には、固定印字部１００の一対のガイド部材１２３の間に挟み込まれる２つのガイド片２３２がそれぞれ形成されている。
【００２３】
また、図３に示すように、内部支持ケース２０１の一側面には、軸方向に沿って４本の長細い溝状のガイド溝２０２が開口されている。これらのガイド溝２０２は、図２に示すように、内部支持ケース２０１を本体ケース２に収容し、印字面２１１の変更が行える状態では、開口部２ｂより露出されるようになっている。
【００２４】
次に、本発明の「第一印字体」に相当する移動印字部材２１０の構造を図４及び図５を参照して説明する。図４に示すように、保持体２３０の長手方向に沿って、それぞれ個別に回転可能に支持された５本のベルト体２２０が張設されている。このベルト体２２０の外周面には、当該ベルト体２２０の回転方向に沿って文字コマ２１２が複数列設され、文字コマ２１２の先端面には、印影を形成する印字面２１１が設けられている。各文字コマ２１２の根元部分がベルト体２２０の一部からなる連結部２１３によって連結された構造となっている。従って、移動印字部材２１０は、連結部２１３と、印字面２１１を有する文字コマ２１２とから構成されている。この移動印字部材２１０の長さは、ベルト体２２０の半周以下となっている。この移動印字部材２１０を構成する、印字面２１１を有する文字コマ２１２と連結部２１３とは、例えば多孔性樹脂などのインク含浸体からなり、一体に形成される。
【００２５】
さらに、ベルト体２２０の外周面には、各ベルト体２２０を個々に回転させる際にスライド操作するつまみであるスライド部２２１が突設されており、保持体２３０の長手方向に沿ってスライド部２２１をスライド移動させることでベルト体２２０を回転させることができる。さらに、ベルト体２２０の外周面で、移動印字部材２１０が固定された側と反対側の外周面には、各文字コマ２１２の印字面２１１にそれぞれ対応した印影の見本２２２が印刷されている。尚、保持体２３０を内部支持ケース２０１に収容すると、前述したガイド溝２０２（図３参照）からスライド部２２１が内部支持ケース２０１の外方に突出される。
【００２６】
また、図５に示すように、ベルト体２２０のスライド部２２１には、そのスライド方向と直交する方向に出退可能に付勢された突起２２３が突設されている。また、保持体２３０の内部には、突起２２３に係合してベルト体２２０の回転に負荷を与えることで位置決めする凹部２３１が、ベルト体２２０の回転方向に沿って文字コマ２１２の数だけ設けられている。この構成は、突起２２３が凹部２３１に係合された状態では、その凹部２３１に対応した文字コマ２１２が、保持体２３０の長手方向の一方の側面に位置されるように、ベルト体２２０の位置決めを行うためのものである。また、スライド部２２１が操作されていずれかの文字コマ２１２が保持体２３０の長手方向の一方の側面（図５における紙面下側の側面）に位置されたとき、他方の側面（図５における紙面上側の側面）には、その印字面２１１に対応した印影の見本２２２が位置されるようになっている。移動印字部２００の操作部２０５の底面には見本窓２ｅが開口されており、保持体２３０の長手方向の他方の側面に位置された見本２２２が、その見本窓２ｅを介して目視可能となっている。
【００２７】
次に、固定印字部１００の構造について図５乃至図７を参照して詳細に説明する。図５及び図６に示すように、固定印字部１００は、印字面１１１を有する固定印字部材１１２の背面にインク貯蔵体１１３が保持部材１２０により保持されている。インク貯蔵体１１３は、例えば多孔性樹脂からなり、内部にインクを染み込ませることによってインクを貯蔵することができる。固定印字部材１１２もまた多孔性樹脂からなり、印字面１１１は、公知のように、固定印字部材１１２の印影となる部分をマスクした状態で圧縮しつつ露光し、露光された部分が溶解して孔を塞ぐことによって形成される。固定印字部材１１２は、インク貯蔵体１１３からインクの供給を受ける。また、図５及び図７に示すように、固定印字部材１１２及びインク貯蔵体１１３を貫通する露出孔１１４の周囲には、移動印字部材２１０の文字コマ２１２が挿入される側から印字面１１１に向かって傾斜面となり、移動印字部材２１０の文字コマ２１２の挿入を容易にする孔縁部１１５が形成されている。孔縁部１１５は、移動印字部材２１０の挿入をサポートすることができればよく、傾斜面に限らず、弧面であってもよい。
【００２８】
このような構成の日付印１を組み立てる際には、図３に示すように、まず、分離可能な操作部２０５を分離した内部支持ケース２０１を本体ケース２の筒端部２ａ側より本体ケース２に挿入し、筒端部２ｄ側から操作部２０５を内部支持ケース２０１に係合させて固定させる。そして、筒端部２ａ側より固定印字部１００の一対のガイド部材１２３の間に保持体２３０の２つのガイド片２３２をそれぞれ挟み込ませつつ、本体ケース２のボス２ｃを固定印字部１００の螺旋溝１２１に係合させ、固定印字部１００の取り付けを行う。
【００２９】
螺旋溝１２１の始端１２１ｃより螺旋溝１２１に係合されたボス２ｃがストッパ１２１ｇを乗り越えた位置では、固定印字部１００は本体ケース２の筒端部２ａから露出している。従って、移動印字部材２１０の選択されている印字面２１１は、固定印字部１００の露出孔１１４から露出しない位置にある（図２参照）。また、この状態では、固定印字部１００は、ボス２ｃと螺旋溝１２１の一対の係合部を結ぶ軸線Ｘを揺動中心として（図６参照）、露出孔１１４と交差する方向に揺動可能となっている。
【００３０】
次に、固定印字部１００を回転させながらボス２ｃを螺旋溝１２１に沿ってスライドさせる。このとき、ガイド片２３２がガイド部材１２３に挟まれているので、固定印字部１００が回転されれば内部支持ケース２０１も回転されることとなる。よってこの操作は、内部支持ケース２０１の操作部２０５を本体ケース２に対して回転させることで行うことができる。螺旋溝１２１にボス２ｃが案内されると、固定印字部１００は本体ケース２に納められる方向に移動される。このように螺旋溝１２１にボス２ｃが案内されて行くと、移動印字部材２１０の文字コマ２１２は、孔縁部１１５に案内されつつ、露出孔１１４に挿入される。さらに、固定印字部１００は、ボス２ｃと螺旋溝１２１の一対の係合部を結ぶ軸線Ｘ（図６参照）を揺動中心として、図８に示すように、露出孔１１４と交差する方向に揺動する。従って、揺動するうちに、固定印字部１００が移動印字部材２１０の文字コマ２１２にならうこととなり、印字面２１１が露出孔１１４の正規位置に位置決めされ、挿入が完了する（図１、図５参照）。また、ボス２ｃが螺旋溝１２１のストッパ１２１ｂを乗り越え末端１２１ａの位置に達することで、本体ケース２に対して固定印字部１００が位置決めされる（図３及び図５参照）。
【００３１】
印字面２１１の変更を行う場合は、日付印１の組み立て時と同様に、本体ケース２を保持して操作部２０５を回転させれば、ボス２ｃが螺旋溝１２１に沿って摺動される。すると、固定印字部１００は本体ケース２の軸方向に出退される。そして、固定印字部１００の露出孔１１４より移動印字部材２１０の選択されている印字面２１１の文字コマ２１２が引き抜かれた状態となる（図２参照）。この状態でスライド部２２１を操作すれば、任意の印字面２１１の選択を行うことができる。尚、捺印可能な状態に固定印字部１００を移動させる場合、螺旋溝１２１がボス２ｃを案内する方向が固定印字部１００の出退方向（本体ケース２の軸方向）に対して斜めとなっているため、固定印字部１００と移動印字部２００とが急激に接近することがない。
【００３２】
次に、図９乃至図１１を参照して、「噛込み防止機構」について説明する。図９は、保持部材１２０の側面図であり、図１０及び図１１は、保持部材１２０の変形例の側面図である。図９に示すように、印字面１１１を上方に向けた場合において、保持部材１２０の側面に形成された各螺旋溝１２１の経路の略中央部の下方側の側面１２１ｅには、本体ケース２の筒端部２ａの内周面に形成された１対のボス２ｃが各々係止される係止部１２１ｄが形成されている。この係止部１２１ｄは、図９に示すように、螺旋溝１２１の下方側の側面１２１ｅに対して、水平及び垂直に切り込んだ直角三角形の直角を挟む二辺で切り欠いた状態の切り欠き部となっている。この係止部１２１ｄは、ボス２ｃが螺旋溝１２１の下方側の側面１２１ｅに押圧されて摺動して来た場合に、ボス２ｃを係止する構造となっている。このボス２ｃと、螺旋溝１２１の係止部１２１ｄとが、本発明の「噛込み防止機構」に相当する。尚、係止部１２１ｄの働きの詳細については後述する。
【００３３】
また、係止部１２１ｄは、図９に示す直角の切り欠きに限られず、図１０に示すように、井戸形状の切り欠き部でも、図１１に示すように、円弧状の切り欠き部でも良く、ボス２ｃが係止できる形状であれば良い。これに対して、各螺旋溝１２１の上方側の側面１２１ｆは、窪み等がない滑らかな傾斜した平面となっている。
【００３４】
次に、図１２乃至図１９を参照して、係止部１２１ｄによる噛込み防止機構の動作について説明する。図１２は、日付印１の側面図であり、図１３は、日付印１の平面図である。また、図１４は、図１３に示すＤ−Ｄ線に於ける矢視方向の部分断面図であり、図１５は、保持部材１２０の螺旋溝１２１をボス２ｃが摺動する状態を示す図であり、図１６は、図１３に示すＤ−Ｄ線に於ける矢視方向の部分断面図であり、図１７は、保持部材１２０の螺旋溝１２１をボス２ｃが摺動する状態を示す図であり、図１８は、保持部材１２０の螺旋溝１２１の係止部１２１ｄにボス２ｃが係止された状態を示す図であり、図１９は、図１２に示すＣ−Ｃ線に於ける矢視方向の部分断面図である。
【００３５】
図１４に示すように、印字面の変更を行う場合に、ベルト体２２０のスライド部２２１（図４参照）の移動が十分でなく、所望の印字面が形成された文字コマ２１２が、露出孔１１４に対して、正対していない状態（挿入可能な範囲で向き合っていない状態）で、本体ケース２を保持して操作部２０５を時計回りに回転させると、図１５に示すように、ボス２ｃが螺旋溝１２１に沿って摺動し、固定印字部を保持した保持部材１２０は本体ケース２に納められる方向に移動される。このときには、保持部材１２０へは重力がかかっているので、ボス２ｃは、螺旋溝１２１の上側の側面１２１ｆ側へ押圧される力がかかっている。さらに、ボス２ｃが螺旋溝１２１を案内されていくと、図１６に示すように、文字コマ２１２が露出孔１１４に正しく挿入されずに、露出孔１１４の周囲の部材に当接することになる。図１６に示す例では、文字コマ２１２は、インク貯蔵体１１３の裏面に当接して、文字コマ２１２が露出孔１１４の周囲の部材であるインク貯蔵体１１３により押圧されて、変形して文字コマ２１２に圧縮応力が発生する。この圧縮応力が保持部材１２０にかかる重力より大きくなると、インク貯蔵体１１３が保持されている保持部材１２０には、その応力により、図１６における上方（重力と反対方向）へ付勢力が印加される。すると、保持部材１２０は、図１６に於ける上方へ押圧されるので、図１７に示すように、螺旋溝１２１の下側の側面１２１ｅに対して、ボス２ｃが押圧されて摺動されることになる。
【００３６】
このときに、本体ケース２に対して操作部２０５を、更に、時計回りに回転（露出孔１１４へ文字コマ２１２が挿入される方向への回転）させようとしても、図１８に示すように、各ボス２ｃは、各螺旋溝１２１の側面１２１ｅに各々形成されている係止部１２１ｄの垂直の壁に当接して係止される。従って、本体ケース２に対して操作部２０５をそれ以上、時計回りの回転（露出孔１１４へ文字コマ２１２が挿入される方向への回転）をさせることができない状態となる。よって、図１９に示すように、文字コマ２１２の一部又は全部が露出孔１１４に正対していない状態の場合には、係止部１２１ｄの働きにより、露出孔１１４へ文字コマ２１２が挿入される方向への保持部材１２０の移動が規制されて、文字コマ２１２の噛込みが防止できる。尚、図１８に示すように、各ボス２ｃが、各螺旋溝１２１の側面１２１ｅに各々形成されている係止部１２１ｄに係止された場合には、日付印１の操作者は、本体ケース２に対して操作部２０５を時計回りに回転（露出孔１１４へ文字コマ２１２が挿入される方向への回転）させることが出来ないので、文字コマ２１２が正しい位置になっていないことを認知することができる。従って、操作者は、本体ケース２に対して操作部２０５を反時計回りに回転（露出孔１１４から文字コマ２１２が退出される方向への回転）させて、文字コマ２１２をインク貯蔵体１１３の裏面から離し、ベルト体２２０のスライド部２２１（図４参照）により、文字コマ２１２を正しい位置にすることができる。
【００３７】
次に、図２０乃至図２５を参照して、文字コマ２１２の全部が露出孔１１４に挿入可能に正対している場合の、係止部１２１ｄによる噛込み防止機構の動作について説明する。図２０は、図１３に示すＤ−Ｄ線に於ける矢視方向の部分断面図であり、図２１は、保持部材１２０の螺旋溝１２１をボス２ｃが摺動する状態を示す図であり、図２２は、図１３に示すＤ−Ｄ線に於ける矢視方向の部分断面図であり、図２３は、保持部材１２０の螺旋溝１２１をボス２ｃが摺動する状態を示す図であり、図２４は、保持部材１２０の螺旋溝１２１の係止部１２１ｄにボス２ｃが係止されずに摺動する状態を示す図であり、図２５は、図１２に示すＣ−Ｃ線に於ける矢視方向の部分断面図である。
【００３８】
図２０に示すように、印字面の変更を行う場合に、ベルト体２２０のスライド部２２１（図４参照）の移動量が正しく、所望の印字面が形成された文字コマ２１２が、露出孔１１４に対して、正対している状態（挿入可能な範囲で向き合っている状態）で、本体ケース２を保持して操作部２０５を時計回りに回転させると、図２１に示すように、ボス２ｃが螺旋溝１２１に沿って摺動し、固定印字部を保持した保持部材１２０は本体ケース２に納められる方向に移動される。このときには、ボス２ｃには、保持部材１２０への重力により、螺旋溝１２１の上側の側面１２１ｆへ押圧される力が働く。さらに、ボス２ｃが螺旋溝１２１を案内されていくと、図２２に示すように、文字コマ２１２が露出孔１１４に正しく挿入され、露出孔１１４の周囲の部材に当接しない。従って、保持部材１２０には、重力以外の付勢力が印加されなので、ボス２ｃには、保持部材１２０への重力により、螺旋溝１２１の上側の側面１２１ｆへ押圧される力が働いたままである。よって、図２３に示すように、螺旋溝１２１の上側の側面１２１ｆに対して、ボス２ｃが押圧されて摺動されることになる。従って、図２３に示すように、各ボス２ｃは、各螺旋溝１２１の側面１２１ｅに各々形成されている係止部１２１ｄに係止されることはなく、本体ケース２に対して操作部２０５をさらに時計回りの回転（露出孔１１４へ文字コマ２１２が挿入される方向への回転）をさせることができる。よって、図２４に示すように、各ボス２ｃは、各螺旋溝１２１の末端１２１ａまで案内されて、図２５に示すように、文字コマ２１２の全部が露出孔１１４に正しく挿入される。
【００３９】
以上説明したように、本実施形態の日付印１は、保持部材１２０の外周に形成された螺旋溝１２１に係止部１２１ｄを形成しているので、文字コマ２１２が露出孔１１４の周囲の部材に当接した時の文字コマ２１２に生じる圧縮応力により、本体ケース２の内周面に形成されたボス２ｃを係止部１２１ｄに係止して、文字コマ２１２の噛込みを防止することができる。また、係止部１２１ｄは、一対の螺旋溝１２１の一方のみに形成しても良いが、一対の螺旋溝１２１の両方に形成すれば、一対のボス２ｃを各々係止できるので、本体ケース２に対して操作部２０５を時計回りに回転（露出孔１１４へ文字コマ２１２が挿入される方向への回転）させることを阻止する力が、係止部１２１ｄを１つ設けたものに対して２倍になるので、確実に噛込みを防止できる。
【図面の簡単な説明】
【００４０】
【図１】捺印可能な状態の日付印１の斜視図である。
【図２】印字面２１１の変更が可能な状態の日付印１の斜視図である。
【図３】日付印１の分解斜視図である。
【図４】移動印字部材２１０を保持した保持体２３０の斜視図である。
【図５】図１に示す一点鎖線において矢視方向Ａから見た、日付印１の断面図である。
【図６】図１に示す一点鎖線において矢視方向Ｂから見た、操作部２０５を除いた状態の日付印１の断面図である。
【図７】保持部材１２０の平面図である。
【図８】移動印字部材２１０が露出孔１１４に挿入される際の、図１に示す一点鎖線において矢視方向Ａから見た、日付印１の断面図である。
【図９】保持部材１２０の側面図である。
【図１０】保持部材１２０の変形例の側面図である。
【図１１】保持部材１２０の変形例の側面図である。
【図１２】日付印１の側面図である。
【図１３】日付印１の平面図である。
【図１４】図１３に示すＤ−Ｄ線に於ける矢視方向の部分断面図である。
【図１５】保持部材１２０の螺旋溝１２１をボス２ｃが摺動する状態を示す図である。
【図１６】図１３に示すＤ−Ｄ線に於ける矢視方向の部分断面図である。
【図１７】保持部材１２０の螺旋溝１２１をボス２ｃが摺動する状態を示す図である。
【図１８】保持部材１２０の螺旋溝１２１の係止部１２１ｄにボス２ｃが係止された状態を示す図である。
【図１９】図１２に示すＣ−Ｃ線に於ける矢視方向の部分断面図である。
【図２０】図１３に示すＤ−Ｄ線に於ける矢視方向の部分断面図である。
【図２１】保持部材１２０の螺旋溝１２１をボス２ｃが摺動する状態を示す図である。
【図２２】図１３に示すＤ−Ｄ線に於ける矢視方向の部分断面図である。
【図２３】保持部材１２０の螺旋溝１２１をボス２ｃが摺動する状態を示す図である。
【図２４】保持部材１２０の螺旋溝１２１の係止部１２１ｄにボス２ｃが係止されずに摺動する状態を示す図である。
【図２５】図１２に示すＣ−Ｃ線に於ける矢視方向の部分断面図である。
【符号の説明】
【００４１】
１      日付印
２      本体ケース
２ｃ      ボス
２ａ      筒端部
２ｄ      筒端部
１００      固定印字部
１１１      印字面
１１２      固定印字部材
１１３      インク貯蔵体
１１４      露出孔
１１５      孔縁部
１２０      保持部材
１２１      螺旋溝
１２１ｅ    側面
１２１ｆ    側面
１２１ｄ    係止部
２００      移動印字部
２０１      内部支持ケース
２０２      ガイド溝
２１０      移動印字部材
２１１      印字面
２１２      文字コマ
【図１】
2008018696.tif 000003
【図２】
2008018696.tif 000004
【図３】
2008018696.tif 000005
【図４】
2008018696.tif 000006
【図５】
2008018696.tif 000007
【図６】
2008018696.tif 000008
【図７】
2008018696.tif 000009
【図８】
2008018696.tif 000010
【図９】
2008018696.tif 000011
【図１０】
2008018696.tif 000012
【図１１】
2008018696.tif 000013
【図１２】
2008018696.tif 000014
【図１３】
2008018696.tif 000015
【図１４】
2008018696.tif 000016
【図１５】
2008018696.tif 000017
【図１６】
2008018696.tif 000018
【図１７】
2008018696.tif 000019
【図１８】
2008018696.tif 000020
【図１９】
2008018696.tif 000021
【図２０】
2008018696.tif 000022
【図２１】
2008018696.tif 000023
【図２２】
2008018696.tif 000024
【図２３】
2008018696.tif 000025
【図２４】
2008018696.tif 000026
【図２５】
2008018696.tif 000027